【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
方法であって、
少なくとも１つのプロセッサによって、メッセージ・スレッド内のユーザと１人または複数の共同ユーザとの間で交換される複数の電子メッセージを自然言語フレーズを用いて分析して前記複数の電子メッセージ内の複数の自然言語フレーズから前記複数の電子メッセージのコンテキストを判定する工程と、
該少なくとも１つのプロセッサによって、ユーザと１人または複数の共同ユーザとの間で交換される複数の電子メッセージの判定されたコンテキストに基づいて、支払いイベントを推測する工程と、
該少なくとも１つのプロセッサによって、推測された支払いイベントに基づいて、支払い取引を開始する工程と、を備える方法。
【請求項２】
前記複数の電子メッセージを自然言語フレーズを用いて分析する工程は、
前記複数の電子メッセージから第１の電子メッセージを分析して第１の自然言語フレーズを識別すること、
前記複数の電子メッセージから第２の電子メッセージを分析して第２の自然言語フレーズを識別すること、
前記第１の電子メッセージおよび第２の電子メッセージから前記コンテキストを判定すること、を含む、請求項１に記載の方法。
【請求項３】
前記複数の自然言語フレーズが、少なくとも１つの所定のフレーズ、文字ストリング、またはシンボルを含む、請求項１に記載の方法。
【請求項４】
シンボルが、１つまたは複数のドル記号を含む、請求項３に記載の方法。
【請求項５】
前記支払い取引を開始する工程が、前記支払い取引を開始するための前記メッセージ・スレッド内のオプションをユーザに提供する工程を含む、請求項１に記載の方法。
【請求項６】
前記支払い取引を開始するためのオプションをユーザに提供する工程が、
前記複数の自然言語フレーズと関連して選択可能なオブジェクトを作成する工程を含む、請求項５に記載の方法。
【請求項７】
前記複数の自然言語フレーズと関連して前記選択可能なオブジェクトを作成する工程が、
前記複数の自然言語フレーズから自然言語フレーズの少なくとも一部分を選択可能にする工程を含む、請求項６に記載の方法。
【請求項８】
前記少なくとも１つのプロセッサによって、前記メッセージ・スレッド内からユーザによる選択可能なオブジェクトの選択を検出する工程と、
該選択の検出に応答して、前記支払い取引を開始する工程と、をさらに備える請求項５に記載の方法。
【請求項９】
前記支払い取引を開始するためのオプションをユーザに提供する工程が、
確認要求をユーザに提供する工程を含む、請求項１に記載の方法。
【請求項１０】
前記支払いイベントに基づいて、前記支払い取引を開始する工程が、
前記支払いイベントを推測することに応答して、１人または複数の共同ユーザに支払いを要求するためのオプションをユーザに提供する工程を含む、請求項１に記載の方法。
【請求項１１】
ユーザと１人または複数の共同ユーザとの間で交換される複数の電子メッセージの分析に基づいて、前記支払いイベントを推測する工程が、
ユーザが１人または複数の共同ユーザに金銭を送信したいか、または借りたいと望んでいることを示す言語を識別する工程を含む、請求項１に記載の方法。
【請求項１２】
前記支払い取引を開始する工程が、
前記支払いイベントを推測することに応答して、さらなるユーザ対話なしに、ユーザから１人または複数の共同ユーザに支払い額を移動するための要求を送信する工程を含む、請求項１に記載の方法。
【請求項１３】
方法であって、
少なくとも１つのプロセッサによって、メッセージ・スレッド内のユーザと１人または複数の共同ユーザとの間で交換される複数の電子メッセージを自然言語フレーズを用いて分析する工程と、
ユーザと１人または複数の共同ユーザとの間で交換される複数の電子メッセージの分析に基づいて、支払いイベントを推測する工程と、
ユーザと１人または複数の共同ユーザとの間で交換される複数の電子メッセージにおいて、支払いイベントに関連付けられたコンテンツを識別する工程と、
該少なくとも１つのプロセッサによって、該コンテンツを、該支払いイベントに基づいて支払い取引を開始するための前記メッセージ・スレッド内の選択可能なオブジェクトに変換する工程と、
該少なくとも１つのプロセッサによって、前記メッセージ・スレッド内の選択可能なオブジェクトの選択に基づいて前記支払いイベントを開始すること、を備える方法。
【請求項１４】
前記複数の電子メッセージを自然言語フレーズを用いて分析する工程は、
前記複数の電子メッセージから第１の電子メッセージを分析して第１の自然言語フレーズを識別すること、
前記複数の電子メッセージから第２の電子メッセージを分析して第２の自然言語フレーズを識別すること、
前記第１の電子メッセージおよび第２の電子メッセージから前記支払いイベントを示すコンテキストを判定すること、を含む、請求項１３に記載の方法。
【請求項１５】
前記支払いイベントを識別する工程が、
前記第１の自然言語フレーズにおいて、自然言語処理を使用して、１人または複数の共同ユーザへの支払いの要求を識別する工程を含む、請求項１４に記載の方法。
【請求項１６】
前記支払いイベントを識別する工程が、
前記第２の自然言語フレーズにおいて、自然言語処理を使用して、１人または複数の共同ユーザに支払いを送信するための要求を識別する工程を含む、請求項１４に記載の方法。
【請求項１７】
前記複数の電子メッセージにおいて所定の文字ストリングを識別する工程と、
所定の文字ストリングに基づいて、前記支払い取引に関連付けられた動作を実行する工程であって、該動作は、１人または複数の共同ユーザに支払いを要求すること、１人または複数の共同ユーザに支払いを送信すること、前記支払い取引についての支払い額を設定すること、または前記支払い取引を確認することを含む、前記実行する工程と、をさらに備える請求項１３に記載の方法。
【請求項１８】
モバイル・デバイスであって、
少なくとも１つのプロセッサと、
表示デバイスと、
複数の命令を記憶した少なくとも１つの非一時的なコンピュータ可読記憶媒体と、を備え、
該複数の命令は、該少なくとも１つのプロセッサによって実行されると、該モバイル・デバイスに、
メッセージ・スレッド内のユーザと１人または複数の共同ユーザとの間で交換される複数の電子メッセージを自然言語フレーズを用いて分析して前記複数の電子メッセージ内の複数の自然言語フレーズから前記複数の電子メッセージのコンテキストを判定する工程と、
ユーザと１人または複数の共同ユーザとの間で交換される複数の電子メッセージの判定されたコンテキストに基づいて、支払いイベントを推測する工程と、
推測された支払いイベントに基づいて、支払い取引を開始する工程と、を実行させる、モバイル・デバイス。
【請求項１９】
該少なくとも１つのプロセッサによって実行されると、該モバイル・デバイスに、
前記複数の電子メッセージから第１の電子メッセージを分析して第１の自然言語フレーズを識別すること、
前記複数の電子メッセージから第２の電子メッセージを分析して第２の自然言語フレーズを識別すること、
前記第１の電子メッセージおよび第２の電子メッセージから前記コンテキストを判定すること、を実行させる複数の命令をさらに備える請求項１８に記載のモバイル・デバイス。
【請求項２０】
該少なくとも１つのプロセッサによって実行されると、該モバイル・デバイスに、
前記複数の自然言語フレーズから自然言語フレーズ内の選択可能なオブジェクトを作成することによって、前記支払い取引を開始するためのオプションをユーザに提供して前記支払い取引を開始させる工程を実行させる命令をさらに備える請求項１８に記載のモバイル・デバイス。